(57)【要約】【課題】簡単な構成で使い勝手がよく、フレームの修理及びワイヤーの修理、取り替えが容易な鞄用キャスター付きフレーム及びこれを備える鞄を提供する。【解決手段】鞄用キャスター付きフレーム１００は、キャスター１０と、載せ台２０と、立設部３０と、キャスター制動部４０と、ワイヤー５０とを備える。立設部３０がロッドロック機構を備え、グリップ３４がロッド操作部３５を備えている。さらに、ワイヤー５０は、フレーム１００の外側で、伸縮ロッド３３の延伸方向に延在している。この伸縮ロッド３３は、ロッド収縮位置と、ロッド延伸位置とを移動自在であり、伸縮ロッド３３のロッド延伸位置で、ワイヤー５０は、収納空間２４から部分的に引き出され、一部が収納空間２４内で収縮状態で収納される。一方、伸縮ロッド３３のロッド収縮位置で、ワイヤー５０は、収納空間２４内に押し出され、収納空間２４に拡大状態で収納される。【選択図】図１
2020185024.tif 000002
【特許請求の範囲】
【請求項１】
キャスターと、
底面に前記キャスターが設けられた、上面に鞄を載置させるための載せ台と、
前記載せ台から垂直姿勢に延長された立設部と、
前記キャスターの動きを制動するキャスター制動部と、
前記キャスター制動部と前記キャスターとを連結するワイヤーと、
前記ワイヤーを収納する収納部と
を備える鞄用キャスター付フレームであって、
前記収納部が、
第一板状部材と、
前記第一板状部材と離間して配置され、該第一板状部材との間で収納空間を形成する第二板状部材と
を備え、
前記立設部が、
前記載せ台の隅部から垂直姿勢に延長され、上端を開口端とした一対の筒部と、
前記一対の筒部の開口端に、引き出し自在に挿入された一対の伸縮ロッドと、
前記一対の伸縮ロッドの上端を連結し、前記キャスター制動部が設けられるグリップと、
前記伸縮ロッドを伸縮自在なアンロック状態から伸縮を禁止するロック状態にするロッドロック機構と
を備え、
前記グリップが、前記伸縮ロッドのロック状態、アンロック状態を切り替える前記ロッドロック機構のロッド操作部を備えており、
前記ワイヤーは、前記一対の筒部及び伸縮ロッドの外周部に沿って設けられ、前記伸縮ロッドの延伸方向に延在しており、
前記伸縮ロッドは、前記筒部に収納されているロッド収縮位置と、前記筒部から引き出されたロッド延伸位置とを移動自在であり、
前記伸縮ロッドが前記ロッド延伸位置にある姿勢で、前記ワイヤーは、前記伸縮ロッドの延伸に伴い前記収納空間から部分的に引き出され、一部が前記収納空間内で収縮状態で収納され、
前記伸縮ロッドが前記ロッド収縮位置にある姿勢で、前記ワイヤーは、前記伸縮ロッドの収縮に伴い前記収納空間内に押し出され、前記収納空間に拡大状態で収納される鞄用キャスター付フレーム。
【請求項２】
請求項１に記載の鞄用キャスター付フレームであって、
前記収納部がさらに、前記第一板状部材と、前記第二板状部材とを周辺で接続する側部を備え、
前記収納部は、前記載せ台と兼用されており、
前記第一板状部材に前記キャスターが設けられ、
前記第二板状部材の上面に鞄を載置させるよう構成してなる鞄用キャスター付フレーム。
【請求項３】
請求項１又は２に記載の鞄用キャスター付フレームであって、さらに、
前記収納部の前記立設部側に開口された開口部分に設けられ、前記収納空間に挿入される前記ワイヤーを前記収納空間の長手方向に対して傾斜姿勢で案内するガイドチューブを備える鞄用キャスター付フレーム。
【請求項４】
請求項１〜３のいずれか一項に記載の鞄用キャスター付フレームであって、
前記第一板状部材の、平面視における大きさが、前記第二板状部材の大きさより大きい鞄用キャスター付フレーム。
【請求項５】
請求項１に記載の鞄用キャスター付フレームであって、
前記収納部は、前記立設部に設けられ、
前記収納部は、前記一対の筒部でもって、前記第一板状部材と第二板状部材とを離間状態に固定してなる鞄用キャスター付フレーム。
【請求項６】
請求項１に記載の鞄用キャスター付フレームであって、
前記収納部は、前記立設部に固定されており、
前記一対の筒部の間に、前記収納空間が形成されてなる鞄用キャスター付フレーム。
【請求項７】
請求項５又は６に記載の鞄用キャスター付フレームであって、
前記収納部がさらに、前記第一板状部材及び第二板状部材で画成される前記収納空間の上方を閉塞する天面部を備える鞄用キャスター付フレーム。
【請求項８】
請求項１〜７のいずれか一項に記載の鞄用キャスター付フレームであって、
前記立設部がさらに、前記グリップと前記載せ台との間に設けられ、前記一対の筒部を互いに連結する中間フレームを備える鞄用キャスター付フレーム。
【請求項９】
請求項１〜８のいずれか一項に記載の鞄用キャスター付フレームであって、
前記中間フレームは、前記ワイヤーが貫通する貫通孔を、前記一対の伸縮ロッドの間であって、何れか一方の伸縮ロッド寄りに形成する鞄用キャスター付フレーム。
【請求項１０】
請求項１〜９のいずれか一項に記載の鞄用キャスター付フレームであって、さらに、
前記の筒部の外周部に設けられ、前記ワイヤーを保持する保持部を備える鞄用キャスター付フレーム。
【請求項１１】
請求項１〜１０のいずれか一項に記載の鞄用キャスター付フレームであって、
前記ワイヤーは、一点で交差させた閉ループ状に前記収納空間にフリーで収納される鞄用キャスター付フレーム。
【請求項１２】
請求項１１に記載の鞄用キャスター付フレームであって、さらに、前記載せ台の底板とカバー部との間に設けられたボス部を備え、
前記ボス部でもって前記ワイヤーの位置を規制してなる鞄用キャスター付フレーム。
【請求項１３】
請求項１〜１２のいずれか一項に記載の鞄用キャスター付フレームであって、
前記キャスターを４個備え、かつ各キャスターを水平面内で回転自在としており、
前記キャスター制動部が、前記キャスターの２個以上を、水平面内においてストップ方向に保持させることで、鞄用キャスター付フレームの移動を停止状態とするようにしてなる鞄用キャスター付フレーム。
【請求項１４】
請求項１〜１３のいずれか一項に記載の鞄用キャスター付フレームであって、
前記キャスター制動部は
前記グリップの長手方向の側部に沿って設けられる、平面視矩形状の外装ケースと、
前記外装ケースの内部に収納され、水平方向に往復運動する往復ブロックと、
前記外装ケースの長手方向における手前側の側面に水平方向に形成されるスリットと、
一端側が前記外装ケースの長手方向における前記手前側の側面の外側に設けられ、前記スリットを貫通して前記往復ブロックと連結するロックスイッチとを備え、
前記キャスター制動部は前記グリップの長手方向の側部に沿って設けられ、
前記ワイヤーの一端が前記往復ブロックの一端部に連結し、
前記往復ブロックが水平方向に往復運動することにより、前記ワイヤーが伸縮し、前記キャスターの水平方向の向きを制御する鞄用キャスター付きフレーム。
【請求項１５】
請求項１〜１４のいずれか一項に記載の鞄用キャスター付フレームと、
前記載せ台に着脱自在に載置された鞄本体と
を備える鞄。
【発明の詳細な説明】
【技術分野】
【０００１】
本発明は、鞄用キャスター付きフレーム及びこれを備える鞄に関する。
【背景技術】
【０００２】
キャスター付きのフレームに、鞄本体を着脱自在に、あるいは固定式に載せた鞄が知られている。このような鞄用キャスター付きのフレームにおいて、キャスターの制動を、上下方向に伸縮自在なフレームの持ち手部材に備えられた操作部等で行う技術が知られている。操作部は、ワイヤーを介してキャスターと接続されている。このような構成においては、フレームの伸縮に合わせてワイヤーも伸縮するため、持ち手部材を例えば下降位置とすると、余剰となったワイヤーの一部がフレームの外側に大きく湾曲して撓んでしまい、使用の邪魔になることがあった。
【０００３】
これに対して、特許文献１に示すウォーキングキャリーは、図１６の水平断面図に示すようにフレームの下面側に収納空間９２４を設け、ワイヤー９５０を収納空間９２４内でＵターンさせてＵ字状を形成して収納する構成を採用している。これにより、フレームの伸縮に合わせてワイヤー９５０のＵ字状部が収納空間９２４内で拡大、縮小するため、フレームの外側にはみ出すことを防止している。
【先行技術文献】
【特許文献】
【０００４】
【特許文献１】特開２０１２−１７００４公報
【発明の概要】
【発明が解決しようとする課題】
【０００５】
特許文献１のウォーキングキャリーは、収納空間部９２４に中間壁部９２８を設け、ワイヤー９５０の一端を中間壁部９２８に固定し、他端を固定されたワイヤー９５０の一端と離間するようにしてＵ字状を形成している。しかしながら、ガイドチューブ９５１をＵ字状に折曲しているため、曲率半径が小さくなってガイドチューブ９５１内を走るワイヤー９５０が急峻な角度で折曲される結果、過度の負荷がかかりやすくなるという問題があった。また、構成が複雑で製造に手間及びコストがかかる。さらに、ワイヤーがフレームの内部に設けられているため、この点においても構成が複雑となる上、ワイヤーを修理する際にはフレームを分解せねばならず、補修作業も困難となる。
【０００６】
本発明は、従来のこのような問題点に鑑みてなされたものであり、その目的の一は、簡単な構成で使い勝手がよく、フレームの修理及びワイヤーの修理、取り替えが容易な鞄用キャスター付きフレーム及びこれを備える鞄を提供することである。
【課題を解決するための手段及び発明の効果】
【０００７】
本発明の第１の側面に係る鞄用キャスター付フレームによれば、キャスターと、底面に前記キャスターが設けられた、上面に鞄を載置させるための載せ台と、前記載せ台から垂直姿勢に延長された立設部と、前記キャスターの動きを制動するキャスター制動部と、前記キャスター制動部と前記キャスターとを連結するワイヤーと、前記ワイヤーを収納する収納部とを備える鞄用キャスター付フレームであって、前記収納部が、第一板状部材と、前記第一板状部材と離間して配置され、該第一板状部材との間で収納空間を形成する第二板状部材とを備え、前記立設部が、前記載せ台の隅部から垂直姿勢に延長され、上端を開口端とした一対の筒部と、前記一対の筒部の開口端に、引き出し自在に挿入された一対の伸縮ロッドと、前記一対の伸縮ロッドの上端を連結し、前記キャスター制動部が設けられるグリップと、前記伸縮ロッドを伸縮自在なアンロック状態から伸縮を禁止するロック状態にするロッドロック機構とを備えることができる。また、前記グリップが、前記伸縮ロッドのロック状態、アンロック状態を切り替える前記ロッドロック機構のロッド操作部を備えており、前記ワイヤーは、前記一対の筒部及び伸縮ロッドの外周部に沿って設けられ、前記伸縮ロッドの延伸方向に延在しており、前記伸縮ロッドは、前記筒部に収納されているロッド収縮位置と、前記筒部から引き出されたロッド延伸位置とを移動自在であり、前記伸縮ロッドが前記ロッド延伸位置にある姿勢で、前記ワイヤーは、前記伸縮ロッドの延伸に伴い前記収納空間から部分的に引き出され、一部が前記収納空間内で収縮状態で収納され、一方、前記伸縮ロッドが前記ロッド収縮位置にある姿勢で、前記ワイヤーは、前記伸縮ロッドの収縮に伴い前記収納空間内に押し出され、前記収納空間に拡大状態で収納することができる。上記構成により、グリップにキャスター制動部及びロッド操作部が設けられているため、ユーザは伸縮ロッドのロッド延伸位置、ロッド収縮位置のいずれにおいても手元で、キャスターの動きを制動する操作を行うことができ、使い勝手がよい。また、ワイヤーがフレーム内部に収納されていないため、ワイヤーを目視でき、その修理や保守点検を容易に行える。このような簡単な構成により、製造も容易でコストも抑えることができる。
【０００８】
また、第２の側面に係る鞄用キャスター付フレームによれば、前記収納部がさらに、前記第一板状部材と、前記第二板状部材とを周辺で接続する側部を備え、前記収納部は、前記載せ台と兼用されており、前記第一板状部材に前記キャスターが設けられ、前記第二板状部材の上面に鞄を載置させるよう構成することができる。上記構成により、収納部と載せ台が兼用できるため、部材の数を削減できる。その結果、製造コストも削減することができる。また、収納部を鞄用キャスター付フレームの下側に設けることで、目立たなくして、見栄えがよくなる。
【０００９】
さらに、第３の側面に係る鞄用キャスター付フレームによれば、さらに、前記収納空間の開口部分に設けられ、前記収納空間に挿入される前記ワイヤーを前記収納空間の長手方向に対して傾斜姿勢で案内するガイドチューブを備えることができる。上記構成により、ワイヤーを収納空間内にスムーズに案内することができ、ワイヤーを収納空間内で閉ループ状に形成することを容易とする。また、ワイヤーに負荷がかかりやすい部分を保護し、ワイヤーへの負担を軽減することができる。
【００１０】
さらにまた、第４の側面に係る鞄用キャスター付フレームによれば、前記第一板状部材の、平面視における大きさを、前記第二板状部材の大きさより大きくすることができる。上記構成により、ワイヤーが地面に対して露出しないため、外部と接触することによる損傷やゴミの付着を防ぐことができる。
【００１１】
さらにまた、第５の側面に係る鞄用キャスター付フレームによれば、前記収納部は、前記立設部に設けられ、また、前記収納部は、前記一対の筒部でもって、前記第一板状部材と第二板状部材とを離間状態に固定して構成することができる。上記構成により、収納部を立設部に設けるため、ワイヤーを折り曲げることなく収納空間に案内することができる。その結果、ワイヤーの動作が無理なくスムーズとなり、ワイヤーにかかる負荷も少なくすることができる。
【００１２】
さらにまた、第６の側面に係る鞄用キャスター付フレームによれば、前記収納部は、前記立設部に固定されており、前記一対の筒部の間に、前記収納空間を形成することができる。上記構成により、収納部を立設部に設けるため、ワイヤーを折り曲げることなく収納空間に案内することができる。その結果、ワイヤーの動作が無理なくスムーズとなり、ワイヤーにかかる負荷も少なくすることができる。
【００１３】
さらにまた、第７の側面に係る鞄用キャスター付フレームによれば、前記収納部がさらに、前記第一板状部材及び第二板状部材で画成される前記収納空間の上方を閉塞する天面部を備えることができる。上記構成により、ワイヤーが収納空間内に隔離されることとなるので、ゴミや異物の侵入を防ぎ、不具合が発生する可能性を低減できる。
【００１４】
さらにまた、第８の側面に係る鞄用キャスター付フレームによれば、前記立設部がさらに、前記グリップと前記載せ台との間に設けられ、前記一対の筒部を互いに連結する中間フレームを備えることができる。上記構成により、筒部が中間フレームで補強されるため、立設部の強度が上がる。また、中間フレームに鞄を固定するための固定具を設けることも可能となり、鞄を載せ台に載せる際、フレームに固定し易くなる。
【００１５】
さらにまた、第９の側面に係る鞄用キャスター付フレームによれば、前記中間フレームは、前記ワイヤーが貫通する貫通孔を、前記一対の伸縮ロッドの間であって、何れか一方の伸縮ロッド寄りに形成することができる。上記構成により、伸縮ロッド同士の間でワイヤを確実に保持できるので、ワイヤがフレームの外側で邪魔になったり引っ掛かる事態を回避できる。
【００１６】
さらにまた、第１０の側面に係る鞄用キャスター付フレームによれば、さらに、前記の筒部の外周部に設けられ、前記ワイヤーを保持する保持部を備えることができる。上記構成により、ワイヤーを筒部の内部でなく外部に位置させることで、ワイヤーの補修に際して筒部を分解する必要をなくし、作業性が高められる。また外部にワイヤーを配置しつつも、鞄用キャスター付フレームの近傍で確実に保持することでユーザの邪魔にならない。また、ワイヤーを確実に保持できるため、ワイヤーが撓むことも防止できる。
【００１７】
さらにまた、第１１の側面に係る鞄用キャスター付フレームによれば、前記ワイヤーを、一点で交差させた閉ループ状で前記収納空間にフリーで収納することができる。上記構成により、ワイヤーをＵ字状に収納する場合と比べて曲率半径を大きくすることができるため、ワイヤーへの負荷を最小限に抑えることができる。これにより、耐久性が向上する。また、ワイヤーを固定しないフリーな状態としたことで、自由な拡大や縮小が可能となり、動作がスムーズとなる。さらに、簡単な収納構造を採用するため、壊れにくくなる。
【００１８】
さらにまた、第１２の側面に係る鞄用キャスター付フレームによれば、さらに、前記載せ台の底板とカバー部との間に設けられたボス部を備え、前記ボス部でもって前記ワイヤーの位置を規制することができる。上記構成により、ワイヤーのスムーズな変形を助成することができる。また、ボス部の配置を調節することで、ワイヤーの形状を調節することができる。つまり、収納空間内でワイヤーをフリーな状態に維持しながらも、ボス部によって大枠の位置が規制される。このため、意図しない状態にワイヤーが絡まることを防止し、ワイヤーの動作がより一層安定する。さらに、ボス部が底板とカバー部との間で支えとなり、載せ台の強度が向上する。
【００１９】
さらにまた、第１３の側面に係る鞄用キャスター付フレームによれば、前記キャスターを４個備え、かつ各キャスターを水平面内で回転自在としており、前記キャスター制動部が、前記キャスターの２個以上を、水平面内においてストップ方向に保持させることで、鞄用キャスター付フレームの移動を停止状態とすることができる。上記構成により、キャスターの向きを鞄用キャスター付フレームが停止できるストップ方向にすることにより、鞄用キャスター付フレームの移動を確実に停止できる。
【００２０】
さらにまた、第１４の側面に係る鞄用キャスター付フレームによれば、前記キャスター制動部は、前記グリップの長手方向の側部に沿って設けられる、平面視矩形状の外装ケースと、前記外装ケースの内部に収納され、水平方向に往復運動する往復ブロックと、前記外装ケースの長手方向における手前側の側面に水平方向に形成されるスリットと、一端側が前記外装ケースの長手方向における前記手前側の側面の外側に設けられ、前記スリットを貫通して前記往復ブロックと連結するロックスイッチとを備え、前記キャスター制動部は前記グリップの長手方向の側部に沿って設けられ、前記ワイヤーの一端が前記往復ブロックの一端部に連結し、前記往復ブロックが水平方向に往復運動することにより、前記ワイヤーが伸縮し、前記キャスターの水平方向の向きを制御することができる。上記構成により、ユーザがロックスイッチを水平方向に移動すると、ワイヤーを介してキャスターの水平面内の回転を制動することができる。そして、ユーザがロックスイッチを操作する水平方向は、ユーザがグリップを握る上下方向とは異なる。したがって、ユーザがグリップを握る等の通常の使用動作を行う際に、誤ってキャスター制動部が操作されるおそれを低減できる。これによって、キャスターの停止状態を誤って解除するなどの誤操作を防ぐことができる。
【００２１】
さらにまた、第１５の側面に係る鞄用キャスター付フレームを備える鞄によれば、前記鞄用キャスター付フレームと、前記載せ台に着脱自在に載置された鞄本体とを備えることができる。
【図面の簡単な説明】
【００２２】
【図１】本発明の実施形態１に係る鞄用キャスター付きフレームがロッド延伸位置にある状態を示す斜視図である。
【図２】図１の鞄用キャスター付きフレームがロッド収縮位置にある状態を示す部分拡大図付き分解斜視図である。
【図３】図２のキャスター制動部の分解斜視図である。
【図４】図４Ａは図２のキャスター制動部が、非ストップ位置にある状態を示す模式水平断面図、図４Ｂは図２のキャスター制動部が、ストップ位置にある状態を示す模式水平断面図である。
【図５】図５Ａは図２のキャスター制動部が、非ストップ位置にある状態を示す模式断面斜視図、図５Ｂは図２のキャスター制動部が、ストップ位置にある状態を示す模式断面斜視図である。
【図６】図４Ａ及び図４Ｂに示すロックスイッチの動作を示す説明図である。
【図７】図１の鞄用キャスター付きフレームのキャスター制動部の変形例を示す図である。
【図８】図１の鞄用キャスター付きフレームのキャスターロック部の説明図である。
【図９】図９Ａは収納空間内でワイヤーが収縮位置にある状態を示す模式水平断面図、図９Ｂは収納空間内でワイヤーが拡大位置にある状態を示す模式水平断面図である。
【図１０】図１０Ａは図１の鞄用キャスター付きフレームの載せ台の変形例を示すカバー部を除いた平面図、図１０Ｂは図１の鞄用キャスター付きフレームの載せ台の別の変形例を示すカバー部を除いた平面図である。
【図１１】実施形態２に係る鞄用キャスター付きフレームを示す斜視図である。
【図１２】実施形態３に係る鞄用キャスター付きフレームを示す斜視図である。
【図１３】実施形態４に係る鞄用キャスター付きフレームを示す斜視図である。
【図１４】図１３に示す収納部の取り付け例を示す分解斜視図である。
【図１５】図１の鞄用キャスター付きフレームを備える鞄を示す斜視図である。
【図１６】従来のウォーキングキャリーを示す水平断面図である。
【発明を実施するための形態】
【００２３】
以下、本発明の実施形態を図面に基づいて説明する。ただし、以下に示す実施形態は、本発明の技術思想を具体化するための例示であって、本発明は以下のものに特定されない。また、本明細書は特許請求の範囲に示される部材を、実施形態の部材に特定するものでは決してない。特に実施形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一若しくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
［実施形態１］
【００２４】
本発明の実施形態１に係る鞄用キャスター付フレームを図１〜図１０に示す。これらの図において、図１は本発明の実施形態１に係る鞄用キャスター付きフレームがロッド延伸位置にある状態を示す斜視図、図２は図１の鞄用キャスター付きフレームがロッド収縮位置にある状態を示す部分拡大図付き分解斜視図、図３は図２のキャスター制動部の分解斜視図、図４Ａは図２のキャスター制動部が、非ストップ位置にある状態を示す模式水平断面図、図４Ｂは図２のキャスター制動部が、ストップ位置にある状態を示す模式水平断面図、図５Ａは図２のキャスター制動部が、非ストップ位置にある状態を示す模式断面斜視図、図５Ｂは図２のキャスター制動部が、ストップ位置にある状態を示す模式断面斜視図、図６は図４Ａ及び図４Ｂに示すロックスイッチの動作を示す説明図、図７は図１の鞄用キャスター付きフレームのキャスター制動部の変形例を示す図、図８は図１の鞄用キャスター付きフレームのキャスターロック部の説明図、図９Ａは収納空間内でワイヤーが収縮位置にある状態を示す模式水平断面図、図９Ｂは収納空間内でワイヤーが拡大位置にある状態を示す模式水平断面図、図１０Ａは図１の鞄用キャスター付きフレームの載せ台の変形例を示すカバー部を除いた平面図、図１０Ｂは図１の鞄用キャスター付きフレームの載せ台の別の変形例を示すカバー部を除いた平面図を、それぞれ示している。
【００２５】
図１の斜視図に示す鞄用キャスター付きフレーム１００は、キャスター１０と、底面にキャスター１０が設けられ、上面に鞄を載置させるための板状の載せ台２０と、載せ台２０から垂直姿勢に延長された立設部３０と、キャスター１０の動きを制動するキャスター制動部４０と、鞄用キャスター付きフレーム１００の外部に露出するように設けられ、キャスター制動部４０とキャスター１０とを連結するワイヤー５０を備える。
（載せ台２０）
【００２６】
載せ台２０は、第一板状部材である底板２１と、底板２１の外周に設けられる側部２２と、底板２１の上面との間で収納空間２４を形成する第二板状部材であるカバー部２３とを備える。この載せ台２０は、実施形態１において、ワイヤー５０を収納する収納部７０と兼用されている。
【００２７】
載せ台２０は、外形を概ね矩形板状とする。また載せ台２０は十分な強度を備えるべく、金属やプラスチック等の硬質材で形成される。この載せ台２０の底板２１の四隅にはキャスター１０が設けられる。キャスター１０は、水平面内で回転自在で自由な方向に走行可能な首振り式のフリーキャスターである。
【００２８】
載せ台２０の底板２１の外周に沿って、側部２２が、底板２１の上面に立設される。そして、板状のカバー部２３が側部２２上に設けられる。つまり、カバー部２３は、側部２２に支持され、底板２１とほぼ平行に離間して配置される。これにより、底板２１とカバー部２３との間で収納空間２４を形成する。このカバー部２３が、後述する図１１に示す鞄本体９０を積載する載置面となる。また、立設部３０側にある側部２２には、ワイヤー５０が出入りする開口２５が形成されている。この開口２５を介してワイヤー５０を収納空間２４に収納することができる。
【００２９】
本実施形態１において、載せ台２０の底板２１の、平面視における大きさを、カバー部２３の大きさより大きくしている。これにより、ワイヤー５０が、底板２１の底面から露出するのを防ぐことができる。つまり、ワイヤー５０が地面に対して露出しないため、外部と接触することによる損傷やゴミの付着を防ぐことができる。なお、この例では底板２１と側部２２とカバー部２３とを別部材で形成した例を説明したが、本発明はこの構成に限定されない。例えばカバー部に側部を一体に形成したり、あるいは底板に側部を一体に成形してもよい。これらの部材を一体成形することにより、部材の数を削減できる。その結果、載せ台２０は外観的にもすっきりして見栄えがよくなり、また、製造コストを削減することもできる。
（立設部３０）
【００３０】
載せ台２０の底板２１の上面後端側には、立設部３０が設けられる。立設部３０は、底板２１の上面隅部から垂直姿勢に延長され、上端を開口端とした一対の筒部３１と、一対の筒部３１の開口端に引き出し自在に挿入された一対の伸縮ロッド３３と、一対の伸縮ロッド３３の上端を連結するグリップ３４とを備える。ただ、立設部３０は底板２１の上面後端側に設けられる態様に限定されるものではない。例えば、カバー部２３の上面後端側に設けてもよい。
【００３１】
筒部３１は、底板２１上面の後端辺両側の隅部に、底板２１の面方向に対して略垂直に設けられる。また、底板２１上面の後端辺両側の隅部には、筒状に延長された筒部３１を底板２１と強固に固定するため、それぞれ、上方を開口した一対の筒状体３２が形成される。筒状体３２は、末広がりに形成され、特に負荷のかかる付け根部分を補強する。図１の例では、筒状体３２は底板２１と一体成形される。これによって筒状体３２と底板２１との連結部分での剥離を防止できる。この筒状体３２の開口に筒部３１を挿入することにより、筒部３１を底板２１に固定することができる。この筒部３１は、金属又はプラスチックを筒状に成形して作成する。
【００３２】
さらに筒部３１には、伸縮自在な一対の伸縮ロッド３３が設けられる。一対の伸縮ロッド３３は、一端が筒部３１の開口端に挿入して固定され、引き出し自在としている。この伸縮ロッド３３も、金属又はプラスチックを成形して作成する。そして、一対の伸縮ロッド３３の他端をグリップ３４が連結する。グリップ３４は、鞄用キャスター付きフレーム１００を移動するとき、または、ユーザが伸縮ロッド３３の長さを調整するときには、グリップ３４を把握しながら操作する。
【００３３】
より具体的には、立設部３０が、さらに、伸縮ロッド３３を伸縮自在なアンロック状態から伸縮を禁止するロック状態にするロッドロック機構を備える。このロッドロック機構により、伸縮ロッド３３の長さを調節することができる。また、伸縮ロッド３３のロック状態／アンロック状態を切り替えるロッドロック機構のロッド操作部が、グリップ３４に設けられる。ロッド操作部は、例えば、グリップ３４の上面中央部に設けられるロッド操作ボタン３５である。ユーザはロッド操作ボタン３５を指で押して、ロック状態を解除してアンロック状態とし、操作ボタン３５を指で押しながらグリップ３４を上下に移動させる。グリップ３４が所望の位置に到達するとロッド操作ボタン３５から指を離し、伸縮ロッド３３をロック状態とする。これにより、ユーザはグリップ３４の高さを自由に調節できる。
【００３４】
立設部３０はさらに、グリップ３４と載せ台２０との間に設けられ、一対の筒部３１を互いに連結する中間フレーム３６を備える。この中間フレーム３６も、金属又はプラスチックを成形して作成する。この中間フレーム３６によって、筒部３１が中間フレームで補強されるため、立設部３０の強度が上がる。また、中間フレーム３６は、ワイヤー５０が貫通する貫通孔３７を、一対の伸縮ロッド３３の間であって、何れか一方の伸縮ロッド３３寄りに形成する。これにより、伸縮ロッド３３同士の間でワイヤを確実に保持できるので、ワイヤがフレームの外側で邪魔になったり引っ掛かる事態を回避できる。なお図１等の例では、図において右側の伸縮ロッド３３の左側に貫通孔３７を形成しているが、本願発明はこの構成に限らず、例えば左側の伸縮ロッド３３の右側に貫通孔を形成してもよいことはいうまでもない。
【００３５】
さらに立設部３０は、筒部３１の外周部に設けられ、ワイヤー５０を保持する保持部３９を備える。保持部３９は、概ね筒状で平面視中央部分に貫通孔を有している。ワイヤー５０はこの貫通孔を通ることにより、保持部３９に保持される。本実施形態の図１において、保持部３９は筒部３１に設けられている。ただ、保持部３９を筒状体３２等、他の部材に設けてもよい。また保持部３９は、一対の筒部３１同士の間に突出するように設けている。これにより、保持部３９が鞄側や背面側に突出することを避け、保持部３９が他の部材に引っ掛かる等の事態を回避できる。好ましくは、保持部３９に形成された貫通穴が、中間フレーム３６に形成された貫通孔３７と一直線状に並ぶ位置に調整される。これにより、ワイヤー５０を極力直線状に維持して、ワイヤー５０への負荷を軽減しスムーズな動作が期待できる。さらに図１の例では、保持部３９を２つ設けたが、保持部３９の数は２つに限られない。１つ以上の何れの数も採用しえる。この保持部３９により、ワイヤー５０が鞄用キャスター付フレーム１００の近傍で確実に保持されるため、ユーザの邪魔にならない。また、ワイヤー５０を確実に保持できるため、ワイヤー５０が撓むことも防止できる。
（キャスター制動部４０）
【００３６】
キャスター制動部４０は、図２の部分拡大図に示すように、グリップ３４の長手方向の側部に沿って設けられる、平面視矩形状の外装ケース４１と、外装ケース４１の内部に収納され、水平方向に往復運動する往復ブロック４２と、外装ケース４１の長手方向における手前側の側面に水平方向に形成される外装ケース側スリット４３と、一端側が外装ケース４１の長手方向における手前側の側面の外側に設けられ、外装ケース側スリット４３を貫通して往復ブロック４２と連結するロックスイッチ４４とを備える。この往復ブロック４２は、概ね四角柱状の本体部４２ａと、本体部４２ａの一端面に凸部４２ｂとを有する。ワイヤー５０の一端はこの凸部４２ｂに挿入され、往復ブロック４２と連結する。
【００３７】
図３示すように、キャスター制動部４０はさらに、外装ケース４１の内部にスイッチケース４５を備える。往復ブロック４２は、このスイッチケース４５の内部に収納され、スイッチケース４５の内部で水平方向に往復運動する。スイッチケース４５は、外装ケース側スリット４３を形成する外装ケース４１の側面と接触している側面に、外装ケース側スリット４３に沿ってスイッチケース側スリット４５ａを形成する。
【００３８】
図３に示すように、ロックスイッチ４４は、外装ケース４１の長手方向における手前側の側面の外側に設けられるスイッチ片４４ａと、スイッチ片４４ａから垂直に延出する連結棒４４ｂ、一端部が連結棒４４ｂの先端に連結する挿入部４４ｃ、挿入部４４ｃの他端部に連結する弾性部材である押しバネ４４ｄを備える。この挿入部４４ｃ及び押しバネ４４ｄは、スイッチケース４５内の往復ブロック４２の内部に形成されている収納用穴４２ｃに挿入される。そして、外装ケース４１の外側に配置されているスイッチ片４４ａから延出する連結棒４４ｂが外装ケース側スリット４３及びスイッチケース側スリット４５ａを貫通して、挿入部４４ｃの端部と連結する。これにより、ロックスイッチ４４と往復ブロック４２が連結する。従って、図４及び図５に示すように、ユーザがロックスイッチ４４のスイッチ片４４ａを指で押し、外装ケース側スリット４３に沿って水平方向に往復運動させると、往復ブロック４２もそれに伴って往復運動する。その結果、往復ブロック４２と連結しているワイヤー５０も伸縮し、後で述べるように、キャスター１０の水平方向の向きをストップ方向に停止する。このように、ユーザがロックスイッチ４４を操作する水平方向は、ユーザがグリップ３４を握る上下方向とは異なる。つまり、ユーザがグリップ３４を握る等の通常の使用動作を行っても、誤ってキャスター制動部４０が操作される可能性は低い。従って、キャスター１０の停止状態を誤って解除するなどの誤操作を防ぐことができる。また、グリップ３４にキャスター制動部４０及びロッド操作ボタン３５が設けられているため、ユーザは伸縮ロッド３３のロッド延伸位置、ロッド収縮位置のいずれにおいても手元で必要な操作を行うことができ、使い勝手がよい。
【００３９】
このキャスター制動部４０は、ワイヤー５０を介してキャスター１０の動きを停止させる。ここでは、ワイヤー５０を引くことで、キャスター１０が動かないように停止させる、すなわちストップ方向に切り替える例を考える。キャスター１０を停止させるためには、ワイヤー５０を引いた状態で固定する。言い換えるとワイヤー５０を引いたストップ位置を固定する機構が、キャスター制動部４０に求められる。ここでキャスター制動部４０の一例として、ロックスイッチ４４が、ワイヤー５０を引いた位置で固定する機構を、図４Ａ、図４Ｂ、図５Ａ及び図５Ｂに基づいて説明する。これらの図に示すように、往復ブロック４２はワイヤー５０の一端を固定しながら、ワイヤー５０の伸縮方向、図において左右にスライド自在にスイッチケース４５に収納されている。図４Ａ及び図５Ａに示す往復ブロック４２がスイッチケース４５内で右に位置するときは、ワイヤー５０を緩めてキャスター１０の動きが許可された非ストップ位置となる。一方、図４Ｂ及び図５Ｂに示す往復ブロック４２がスイッチケース４５内で左に位置するときは、ワイヤー５０を引いてキャスター１０の動きが停止されたストップ位置となる。
【００４０】
また挿入部４４ｃは、押しバネ４４ｄで、往復ブロック４２の側面方向に突出するよう付勢されている。さらに、図６に示すように往復ブロック４２をストップ位置に移動させた状態で、挿入部４４ｃがスイッチケース４５の側面から突出するように、スイッチケース４５の側面には、挿入部４４ｃが突出する開口窓４５ｂが形成されている。開口窓４５ｂは、往復ブロック４２をストップ位置に移動させた状態で、挿入部４４ｃが突出するよう、ストップ位置にある挿入部４４ｃと対応する位置に形成される。さらに挿入部４４ｃと連動して、スイッチ片４４ａが外装ケース４１の側面をスライドできるよう、外装ケース４１の側面には、外装ケース側スリット４３が、スイッチケース４５の側面には、開口窓４５ｂから連通されたスイッチケース側スリット４５ａが形成されている。そして、外装ケース側スリット４３及びスイッチケース側スリット４５ａを貫通する連結棒４４ｂが、スイッチ片４４ａと挿入部４４ｃとを連結する。外装ケース側スリット４３及びスイッチケース側スリット４５ａの幅は、挿入部４４ｃがスリットから突出しないよう、挿入部４４ｃの外径よりも小さい大きさに設計される。
【００４１】
このような構成によって、外力が付加されない通常の状態では、図４Ａ及び図５Ａに示すように往復ブロック４２は非ストップ位置となって、キャスター１０の動きは規制されない。またロックスイッチ４４は右側に位置される。この状態でユーザは自由に鞄用キャスター付フレーム１００や鞄を移動させることができる。
【００４２】
一方、ユーザがキャスター１０の動きを停止させたい場合は、ロックスイッチ４４を左側にスライドさせて、往復ブロック４２をストップ位置に移動させる。往復ブロック４２がストップ位置に位置されると、押しバネ４４ｄで付勢された挿入部４４ｃが、スイッチケース４５の側面に開口された開口窓４５ｂから突出されて、係止される。この状態で往復ブロック４２はストップ位置に保持されるため、ワイヤー５０が引かれた状態に維持される結果、ワイヤー５０の他端に連結されたキャスター１０の動きは規制された状態に維持される。
【００４３】
そしてユーザが再びキャスター１０を動かせたい場合は、図４Ｂ及び図５Ｂの状態で矢印に示すようにロックスイッチ４４を押し込む。これにより、挿入部４４ｃは押しバネ４４ｄに抗して開口窓４５ｂから押し込まれて、挿入部４４ｃと開口窓４５ｂとの係止状態が解除される結果、ワイヤー５０の張力あるいは復元力によって右側に引き戻され、往復ブロック４２が非ストップ位置に移動されて、キャスター１０の動きが可能となる。このようにしてユーザは、ロックスイッチ４４を操作することで、キャスター１０の動きの規制のＯＮ／ＯＦＦを自由に切り替えることが可能となる。
【００４４】
なお、図４Ａ、図４Ｂ、図５Ａ及び図５Ｂに基づいて説明したキャスター制動部４０の動作は一例であり、本発明はこれに限定されない。例えばロックスイッチを設ける位置は、グリップ３４の側面に限定されない。図７の変形例に示すように、ロックスイッチ４４Ｂ及び外装ケース側スリット４３Ｂを外装ケース４１の上面に設けてもよい。この場合、ユーザは、グリップ３４を握っている手の位置をわざわざキャスター制動部４０Ｂの側面の方にずらさなくても、そのまま手の位置を平行移動させるだけでロックスイッチ４４Ｂを操作でき、使い勝手がよい。
（キャスターロック部６０）
【００４５】
載せ台２０の底板２１の底面には、図８に示すキャスターロック部６０が設けられる。キャスターロック部６０は、底板２１の長手方向の両端に渡って延在する細長いガイドケース６１と、ガイドケース６１の内部に収納され、水平方向に往復運動するスライドブロック６２と、スライドブロック６２とキャスター１０との間に、スライドブロック６２に対して垂直方向に設けられる突出ピン６３とを備える。また、ワイヤー５０の往復ブロック４２と連結していない他端が、スライドブロック６２と連結する。これにより、ワイヤー５０を介して、キャスター制動部４０の往復ブロック４２の往復運動に伴い、スライドブロック６２が往復運動する。スライドブロック６２は、底板２１の底面を往復運動して、スライドブロック６２とキャスター１０との間に設けられた突出ピン６３をキャスター１０に向かって出入りさせる。これにより、キャスター１０の水平方向の向きをストップ方向に停止することができる。ここで、キャスター１０のストップ方向とは、以下の（Ａ）又は（Ｂ）の方向をいう。
【００４６】
（Ａ）４個のキャスター１０のストップ方向が、４個のキャスター１０の連結位置を四隅とする四角形のいずれか一つの辺にほぼ平行であって、隣に配置するキャスター１の水平方向の向きが互いに直交する方向にあって、互いに対角位置にある一対のキャスター１の水平方向の向きが互いに平行な方向。（Ｂ）４個のキャスター１０のストップ方向が、４個のキャスター１０の連結位置を四隅とする四角形のいずれか一つの辺にほぼ平行であって、互いに対角位置にある一対のキャスター１の向きが互いに直交する方向。
（ワイヤー５０）
【００４７】
ワイヤー５０は、鞄用キャスター付きフレーム１００の内部に収納されるのではなく、鞄用キャスター付きフレーム１００の外部に露出して設けられる。またワイヤー５０は、キャスター制動部４０の往復ブロック４２と、キャスターロック部６０のスライドブロック６２とを連結する。ワイヤー５０が鞄用キャスター付きフレーム１００の内部に収納されていないので、ワイヤーを目視でき、その修理や保守点検を容易に行える。つまり、ワイヤーを筒部の内部でなく外部に位置させることで、ワイヤーの補修に際して筒部を分解する必要をなくし、作業性が高められる。また、このような簡単な構成により、製造も容易でコストも抑えることができる。
【００４８】
図１に示すように、ワイヤー５０は、グリップ３４に沿って延出し、グリップ３４と伸縮ロッド３３が交差する箇所で下方向に向き変え、伸縮ロッド３３及び筒部３１に沿って延在している。そして、ワイヤー５０は、載せ台２０の側部２２の開口２５近傍で水平方向に向きを変え、開口２５を通って収納空間２４に侵入している。ワイヤー５０はさらに、図９に示すように、収納空間２４内で閉ループ状を形成した後、底板貫通孔２７を通って収納空間２４から引き出され、底板２１の底面へ延出される。そして、底板２１の底面でスライドブロック６２と連結される。このようにワイヤー５０は、一点で交差して閉ループ状を形成し、収納空間２４内にフリーな状態で収納される。ここで、フリーとは、ワイヤー５０を固定する等してワイヤー５０の動きを過度に規制しない状態をいう。また収納空間２４の高さは、この収納空間２４内でワイヤー５０を交差できるよう、少なくともワイヤ５０を２本重ねた状態よりも大きくする。
（ガイドチューブ５１）
【００４９】
また鞄用キャスター付きフレーム１００は、ワイヤー５０を開口２５から収納空間２４内にスムーズに案内するよう、ガイドチューブ５１を設けている。ガイドチューブ５１は、ワイヤー５０を筒部３１に沿った垂直方向から、収納空間２４内の水平方向にスムーズに折曲するように、ワイヤー５０の外周を保持する。さらにガイドチューブ５１は、開口２５の近傍において、ワイヤー５０が収納空間内で閉ループ状を形成するよう、図９Ａ及び図９Ｂに示すように矩形状に形成された収納空間２４内に対して、ワイヤー５０を矩形状の長手方向に対して傾斜姿勢で案内する機能も果たす。このようにガイドチューブ５１でもって、ワイヤー５０が収納空間２４内で自然に閉ループ状となるように規制される。このガイドチューブ５１は、樹脂パイプや金属パイプなどの硬質部材で形成される。またガイドチューブ５１の内径は、ワイヤー５０を挿入した状態でスムーズに摺動できるよう、ワイヤー５０の外径よりも一回り大きく形成される。ガイドチューブ５１は、図１〜図２等に示すように、筒部３１に沿った垂直姿勢から、開口２５を通じて収納空間２４内の水平姿勢まで、湾曲させている。この硬質部材のガイドチューブ５１内にワイヤー５０を挿入することで、ワイヤー５０をスムーズに折曲させることができ、さらに折曲させた状態のワイヤー５０を、伸縮ロッド３３の伸縮に応じて摺動させることが可能となる。加えて、硬質部材のガイドチューブ５１を自然に湾曲させることで、方向転換に伴うワイヤー５０への負担を軽減することができる。
【００５０】
上述の通り、ワイヤー５０は、伸縮ロッド３３の延伸方向に沿って延在している。そして、伸縮ロッド３３は筒部３１に収納されているロッド収縮位置と、筒部３１から引き出されたロッド延伸位置とを移動する。図１に示すように、伸縮ロッド３３がロッド延伸位置にある姿勢で、ワイヤー５０は、伸縮ロッド３３の延伸に伴い、その延伸分の長さが収納空間２４から引き出される。これにより、例えば、収納空間２４の内部で形成された閉ループ状のワイヤー５０は、全体の大きさが小さくなり、図９Ａに示すように収縮状態となる。一方、図２に示すように、伸縮ロッド３３がロッド収縮位置にある姿勢で、ワイヤー５０は、伸縮ロッド３３の収縮に伴い、その収縮分の長さが収納空間２４内に押し出される。これにより、収納空間２４内の閉ループ状のワイヤー５０は、例えば、図９Ｂに示すような大きさに拡大される。このように、ワイヤー５０を閉ループ状として収納空間２４内で、ループを拡大、縮小させることで、伸縮ロッド３３の伸縮に伴うワイヤー５０の長さの変化を吸収することができる。すなわち、伸縮ロッド３３がロッド収縮位置となったとき、ワイヤー５０の長さが余剰となる分を、収納空間２４内に押し込まれるワイヤー５０の閉ループを拡大させて吸収する。一方、伸縮ロッド３３がロッド延伸位置となったときは、収納空間２４内から引き出されてワイヤー５０が短くなる分を、閉ループを縮小させて吸収する。この結果、伸縮ロッド３３や筒部３１に沿って延在しているワイヤー５０が余剰とならず、撓みが生じてユーザの邪魔になることもない。
【００５１】
また、上記構成のようにワイヤー５０を閉ループ状で収納することにより、例えば特許文献１に記載されたワイヤーチューブをＵ字状で収納する場合に比べて、曲率半径を大きくすることができる。これにより、ワイヤーへの負荷を最小限に抑えることができ、耐久性が向上する。また、ワイヤー５０を固定しないフリーな状態としたことで、自由な拡大や縮小が可能となり、動作がよりスムーズとなる。さらに、収納構造が簡単で壊れにくくなる。
【００５２】
ここで、本実施形態において、収納部７０の収納空間２４内は特に部材を設けず、中空の空間としている。ただ、収納部７０の構成はこれに限られない。図１０Ａに示す変形例のように、鞄用キャスター付きフレーム１００はさらに、収納部７０の底板２１とカバー部２３との間にボス部２６を備えてもよい。ボス部２６は様々な形状を採用し得るが、筒状であることが好ましい。この変形例においては、ボス部２６を４つ底板２１の中央部分に設け、その周りにワイヤー５０を閉ループ状で配置している。これにより、ワイヤー５０がボス部２６を超えてさらに収縮しようとしても、ボス部２６に押し戻され、収縮することができない。
【００５３】
また、図１０Ｂに示す別の変形例のように、ボス部２６Ｂを収納空間２４の隅部近辺に配置し、ワイヤー５０を、ボス部２６Ｂの内側に配置する。これにより、ワイヤー５０がボス部２６Ｂを超えてさらに拡大しようとしても、ボス部２６Ｂに押し戻され、拡大することができない。
【００５４】
このように、ボス部の配置を調節することで、ワイヤーの形状を調節することができる。つまり、収納空間２４内でワイヤー５０をフリーな状態に維持しながらも、ボス部によって大枠の位置が規制される。このため、意図しない状態にワイヤー５０が絡まることを防止し、ワイヤー５０のスムーズな変形を助成でき、ワイヤー５０の動作がより一層安定する。さらに、ボス部が底板２１とカバー部との間で支えとなり、載せ台２０の強度が向上する。なお、ボス部の数は４つに限定されないことはいうまでもない。
［実施形態２］
【００５５】
以上の図１等では、第一板状部材を底板２１、第二板状部材をカバー部２３として収納部７０を鞄用キャスター付フレーム１００の下側に設け、収納部７０を載せ台２０と兼用するようにしている。ただ、本願発明は、収納部７０を鞄用キャスター付フレーム１００の下側に設ける態様に限定するものではない。例えば、図１１の実施形態２に係る鞄用キャスター付フレーム２００に示すように、収納部２４Ｂを立設部３０に設けてもよい。この例においては、収納部７０Ｂが第一板状部材である第一側壁７１と、第二板状部材である第二側壁７２とを備える。この第一側壁７１及び第二側壁７２は、一対の筒部３１を間に挟むことにより、離間状態で筒部３１にそれぞれ固定される。そして、第一側壁７１、第二側壁７２及び一対の筒部３１により収納空間２４Ｂを形成して、収納部７０Ｂを形成するようにしている。このように、収納部７０Ｂを底面側、すなわち載せ台でなく、立設部３０に設けても、同様にワイヤー５０の収納空間を形成できる。また、ワイヤー５０を折り曲げることなく収納空間２４Ｂ内に案内することができるので、ワイヤー５０の動作が無理なくスムーズとなり、ワイヤー５０にかかる負荷も少なくすることができる。
【００５６】
収納部７０Ｂはさらに、図１１に示すように、第一側壁７１及び第二側壁７２で画成される収納空間２４Ｂの上方を閉塞する天面部７３を備えることができる。また、天面部７３には、ワイヤー５０を収納空間２４Ｂ内に案内する開口７４が形成されている。これにより、ワイヤー５０が収納空間２４Ｂ内に隔離されることとなるので、ゴミや異物の侵入を防ぎ、不具合が発生する可能性を低減できる。
［実施形態３］
【００５７】
ただ、実施形態２に係る収納部は、天面部を別途設ける構成に限定されるものではない。例えば図１２の実施形態３に示す収納部７０Ｃのように、中間フレーム３６を天面部として兼用してもよい。このように、天面部を既存の部材と共通化することで、部材の数を減らすことができ、より簡単な構成とすることができる。
［実施形態４］
【００５８】
また、実施形態２に係る収納部は、筒部３１を側部に使用して形成される態様に限定されるものではない。例えば、図１３に示す実施形態４のように、収納部７０Ｄを中空のケース状の別部材として作製し、立設部３０に取り付けてもよい。この収納部７０Ｄは、図１４に示すように、第一側壁８１と側部８３とを有する中空のケース本体８０と、ケース本体８０を閉塞する第二側壁８２とを備える。側部８３は、第一側壁８１と、第二側壁８２とを周辺で接続する。収納部７０Ｄを立設部３０に取り付けた際に上面となる側部８３の面に、一対の筒部用開口８４が形成されている。一対の筒部３１はこの筒部用開口８４に挿入されることにより、ケース本体８０内に収納される。そして、一対の筒部３１の間に収納空間２４Ｄが形成されている。また、ワイヤー５０が延在している側であって、一つの筒部用開口８４の近傍にワイヤー用開口８５が形成されている。このワイヤー用開口８５からワイヤー５０を収納空間２４Ｄに挿入した後、第二側壁８２でケース本体８０を閉塞する。ケース本体８０を閉塞する方法は、特に限定されないが、例えば、ネジ８６で収納部７０Ｄの上部二箇所又は四隅をネジ止めすることができる。これにより、収納部７０Ｄを立設部３０に固定することができる。斯かる場合、ワイヤー５０を折り曲げることなく収納空間２４Ｄ内に案内することができる。また、実施形態４の例ではケース本体８０と第二側壁８２とを別部材としたが、例えばケース本体８０と第二側壁８２とを予め一辺で開閉自在に連結しておき、扉状に閉塞する構成としてもよい。この構成であれば、閉塞時にケース本体８０と第二側壁８２とを固定する箇所を少なくでき、固定作業を省力化できる。
【００５９】
このように、収納部を別部材で構成することにより、鞄用キャスター付きフレームに対し、ワイヤーを収納する収納空間を後付けで形成できる。また着脱式の収納部は、修理やメンテナンス、掃除の際にも作業性の点で有利となる。さらに、実施形態２〜４の収納部においても、実施形態１で説明したボス部を備えることができることはいうまでもない。
【００６０】
さらにまた、図１５には、上述の鞄用キャスター付きフレーム１００を備える鞄３００が開示される。図１５に示すように、中間フレーム３６は、鞄本体９０を装着するための係止フック部３８を両端に備えるのが好ましい。鞄本体９０の背面の、係止フック部３８と対応する箇所に係止穴９１を設け、係止フック部３８を挿入させることにより、中間フレーム３６に鞄を容易に脱着できるからである。ただ、鞄を鞄用キャスター付フレーム１００に装着する方法は、係止フック部と係止穴に限られない。鞄の背面に設けたストラップなどを中間フレーム３６に巻き付け、ボタン留めする等で連結してもよいし、鞄の側部に設けられたストラップなどを筒部３１に巻き付けマジックテープで留める、固定用のベルトを備える等、様々な方法を採用し得る。
【産業上の利用可能性】
【００６１】
本発明に係る鞄用キャスター付きフレーム及びこれを備える鞄は、ビジネスや旅行などの娯楽の場面で好適に利用できる。
【符号の説明】
【００６２】
１００、２００…鞄用キャスター付きフレーム
３００…鞄用キャスター付きフレームを備える鞄
１０…キャスター
２０…載せ台
２１…底板
２２…側部
２３…カバー部
２４、２４Ｂ、２４Ｄ、９２４…収納空間
２５…開口
２６、２６Ｂ…ボス部
２７…底板貫通孔
９２８…中間壁部
３０…立設部
３１…筒部
３２…筒状体
３３…伸縮ロッド
３４…グリップ
３５…操作ボタン
３６…中間フレーム
３７…貫通孔
３８…係止フック部
３９…保持部
４０、４０Ｂ…キャスター制動部
４１…外装ケース
４２…往復ブロック
４２ａ…本体部
４２ｂ…凸部
４２ｃ…収納用穴
４３、４３Ｂ…外装ケース側スリット４３
４４、４４Ｂ…ロックスイッチ
４４ａ…スイッチ片
４４ｂ…連結棒
４４ｃ…挿入部
４４ｄ…押しバネ
４５…スイッチケース
４５ａ…スイッチケース側スリット
４５ｂ…開口窓
５０、９５０…ワイヤー
５１、９５１…ガイドチューブ
６０…キャスターロック部
６１…ガイドケース
６２…スライドブロック
６３…突出ピン
７０、７０Ｂ、７０Ｃ、７０Ｄ…収納部
７１…第一側壁
７２…第二側壁
７３…天面部
７４…開口
８０…ケース本体
８１…第一側壁
８２…第二側壁
８３…側部
８４…筒部用開口
８５…ワイヤー用開口
８６…ネジ
９０…鞄本体
９１…係止穴
【図１】
2020185024.tif 000003
【図２】
2020185024.tif 000004
【図３】
2020185024.tif 000005
【図４】
2020185024.tif 000006
【図５】
2020185024.tif 000007
【図６】
2020185024.tif 000008
【図７】
2020185024.tif 000009
【図８】
2020185024.tif 000010
【図９】
2020185024.tif 000011
【図１０】
2020185024.tif 000012
【図１１】
2020185024.tif 000013
【図１２】
2020185024.tif 000014
【図１３】
2020185024.tif 000015
【図１４】
2020185024.tif 000016
【図１５】
2020185024.tif 000017
【図１６】
2020185024.tif 000018